(57)【特許請求の範囲】
【請求項１】
幅木または廻り縁の端部表面に被着可能な左右一対の第１の帯状部が、各々の端縁を所定間隔に離間させつつ略９０°の配置として配設され、一対の第１の帯状部は、近い方に位置する端縁間に配設された平面視略1/4円状の第２の帯状部により相互に連結され、第２の帯状部の曲率半径は幅木または廻り縁の厚みと略同等とされている幅木または廻り縁のコーナーキャップであって、一方の第１の帯状部の端縁と第２の帯状部の端縁との接続部において、第１の帯状部の幅木または廻り縁への被着面から他方の第１の帯状部と平行に他方の第１の帯状部の端縁と第２の帯状部の端縁との接続部までリブが延設され、リブには、幅木コーナーキャップの場合、下端に第２の帯状部の下端まで基部が配設され、廻り縁コーナーキャップの場合、上端に第２の帯状部の上端まで基部が配設されていることを特徴とする幅木または廻り縁のコーナーキャップ。
【発明の詳細な説明】
【技術分野】
【０００１】
本発明は、建物内壁の出隅コーナー部において互いに突き合わされる幅木または廻り縁の端部をカバーし、外観を美麗に収める幅木または廻り縁のコーナーキャップに関する。
【背景技術】
【０００２】
建物内壁には、床および天井との境界部分を美麗に収めるために、下端部に幅木が、上端部に廻り縁がそれぞれ配設される。幅木または廻り縁は、建物内壁のコーナー部（角部）では２つが互いに突き合うことになり、従来、各々の幅木または廻り縁の端面を４５°にカットして付き合わせ、直交させるという施工が行われていた。
【０００３】
しかしながら、４５°のカットは熟練を要する面倒なものであり、精度に欠けると、突き合わされる幅木または廻り縁の端縁間に隙間が生じ、見栄えが悪くなるという問題があった。
【０００４】
このような事情から、幅木同士の接続を美観性を向上させつつ簡単に行えるようにした、建物内壁の出隅コーナー部用の幅木接続部分カバー材が提案されている（特許文献１）。
【０００５】
特許文献１に記載された幅木接続部分カバー材は、一方の幅木の端部を被嵌する一方受入部および他方の幅木の端部を被嵌する他方受入部が形成された、横断面が四半円形状のカバー本体を有し、カバー本体内に複数の補強リブが、相互に離隔するとともに、各補強リブの端面が一方受入部に被嵌された一方の幅木の端面と当接し、最外方の補強リブの外側面が他方受入部に被嵌された他方の幅木の端面と当接するように設けられている。
【０００６】
上記幅木接続部分カバー材を建物内壁の出隅コーナー部において突き合わされる２つの幅木の端部に装着することにより、一方の幅木の端部がカバー本体の一方受入部に被嵌され、他方の幅木の端部がカバー本体の他方受入部に被嵌されて隠れ、幅木同士の接続の美観性が向上し、幅木の端面を正確に４５°にカットする面倒な作業が解消され、幅木同士の接続を簡単に行うことができる。
【特許文献１】特開２００７−２８５０４９号公報
【発明の開示】
【発明が解決しようとする課題】
【０００７】
しかしながら、上記幅木接続部分カバー材を建物内壁の出隅コーナー部に配設する場合、幅木の端面を正確に４５°にカットする必要はないが、幅木の端部が相互に干渉しないためには、当接する部分において端面をラフであっても斜めにカットしなければならないのが実際である。それというのも、上記幅木接続部分カバー材のカバー本体は横断面が四半円形状であるので、各補強リブの幅をカバー本体の半径より短くしなければ、一方受入部が一方の幅木の端部を被嵌することができず、幅木同士の接続を行うことができなくなるからである。したがって、各補強リブの幅がカバー本体の半径より短いので、幅木の端部同士の接触が避けられず、部分的にではあっても、また、ラフとしても、端面の斜めのカットが必要であり、幅木同士の接続の施工性はさらに良好なものに改善されることが望まれる。
【０００８】
また、カバー本体は、横断面が四半円形状であり、一般にＡＢＳ樹脂などの成形品とされるため、変形が生じず、所定の強度が得られるように補強リブを複数必要としている。このような複数の補強リブは補強効果という点で有利ではあるが、幅木接続部分カバー材の形状が複雑となり、このことは成形のための金型に反映し、金型の形状が複雑になり、金型作製コストが高くなり、ひいては幅木接続部分カバー材のコストそのものに影響する。
【０００９】
本発明は、以上の通りの事情に鑑みてなされたものであり、建物内壁の出隅コーナー部において突き合わされる幅木または廻り縁同士の接続の施工性をさらに良好とし、安価でもある幅木または廻り縁のコーナーキャップを提供することを課題としている。
【課題を解決するための手段】
【００１０】
本発明は、上記の課題を解決するために、幅木または廻り縁の端部表面に被着可能な左右一対の第１の帯状部が、各々の端縁を所定間隔に離間させつつ略９０°の配置として配設され、一対の第１の帯状部は、近い方に位置する端縁間に配設された平面視略1/4円状の第２の帯状部により相互に連結され、第２の帯状部の曲率半径は幅木または廻り縁の厚みと略同等とされている幅木または廻り縁のコーナーキャップであって、一方の第１の帯状部の端縁と第２の帯状部の端縁との接続部において、第１の帯状部の幅木または廻り縁への被着面から他方の第１の帯状部と平行に他方の第１の帯状部の端縁と第２の帯状部の端縁との接続部までリブが延設され、リブには、幅木コーナーキャップの場合、下端に第２の帯状部の下端まで基部が配設され、廻り縁コーナーキャップの場合、上端に第２の帯状部の上端まで基部が配設されていることを特徴としている。
【発明の効果】
【００１１】
本発明によれば、左右一対の第１の帯状部を相互に連結する、平面視略1/4円状の第２の帯状部の曲率半径が幅木または廻り縁の厚みと略同等とされ、一方の第１の帯状部の端縁と第２の帯状部の端縁との接続部において、第１の帯状部の幅木または廻り縁への被着面から他方の第１の帯状部と平行に他方の第１の帯状部の端縁と第２の帯状部の端縁との接続部までリブが延設されているので、建物内壁の出隅コーナー部において一方の幅木または廻り縁の端面をリブの先端面に当接させ、他方の幅木または廻り縁の端面をリブの第１の帯状部側の表面に当接させ、位置決めして２つの幅木または廻り縁を突き合わせることができ、端面を斜めにカットしなくとも相互に干渉することはない。各々の第１の帯状部は対応する幅木または廻り縁の端部表面に確実に被着される。したがって、幅木または廻り縁同士の接続の施工性がさらに良好となる。
【００１２】
また、幅木または廻り縁のコーナーキャップは、リブの下端または上端に第２の帯状部の下端または上端まで配設された基部によって補強され、所定の強度が確保される。リブの配設数は１つであり、基部は、リブの下端または上端と第２の帯状部の下端または上端とを接続するものであるので、幅木または廻り縁のコーナーキャップは形状が簡単なものであり、樹脂などの各種材料からの成形品とされた場合、金型の形状が複雑化せず、作製コストが低減され、最終的な製品コストも低減され、安価となる。
【発明を実施するための最良の形態】
【００１３】
図１は、本発明における幅木コーナーキャップの一実施形態を示した斜視図である。図２＜ａ＞＜ｂ＞＜ｃ＞は、それぞれ、図１に示した幅木コーナーキャップのＡ方向矢視の正面図、Ｂ方向矢視の平面図、Ｃ方向矢視の底面図であり、＜ｄ＞は、図２＜ａ＞図中のＸ−Ｘ断面図である。
【００１４】
図１および図２＜ａ＞＜ｂ＞＜ｃ＞＜ｄ＞に示した幅木コーナーキャップ１は、第１の帯状部２を左右一対として有している。第１の帯状部２は、各々、建物内壁の出隅コーナー部において突き合わされる２つの幅木の対応する１つの幅木の端部表面に被着可能とされ、形状は互いに等しい。第１の帯状部２は、幅木への被着面側に設けられる両面テープなどの粘着材、接着剤などによって幅木に固定される。このような左右一対の第１の帯状部２は、各々の端縁を所定間隔に離間させつつ、略９０°の配置、すなわち、近い方に位置する端部の延長面が仮想的に直交するような配置として幅木コーナーキャップ１に配設されている。
【００１５】
また、幅木コーナーキャップ１は、左右一対の第１の帯状部２を相互に連結する第２の帯状部３を有している。第２の帯状部３は、平面視1/4円またはほぼ1/4円とみなされる略1/4円状である。第２の帯状部３は、第１の帯状部２の近い方に位置する端縁間に配設され、第１の帯状部２の各端縁に左右の側端をそれぞれに接続し、左右一対の第１の帯状部２を相互に連結している。このような第２の帯状部３の曲率半径ｒは幅木の厚みと同一または若干大きい略同一とされている。
【００１６】
これらの第１の帯状部２および第２の帯状部３を有する幅木コーナーキャップ１は、建物内壁の出隅コーナー部に対応する平面視略Ｌ字形とされている。
【００１７】
また、幅木コーナーキャップ１の上端には、第１の帯状部２の幅木への被着面側に突出する上面部４が配設され、上面部４は、平面状であり、左右一対の第１の帯状部２、第２の帯状部３の各々の上端から上縁面取り部５を介して第１の帯状部２および第２の帯状部３の上端に平行に延設され、平面視略Ｌ字形の形状を有している。このような上面部４は、建物内壁の出隅コーナー部において突き合わされる２つの幅木の端部上面を被い、２つの幅木の突き合わせ部が上方から視認されるのを抑制し、また、突き合わせ部への埃、ゴミなどの侵入を抑制し、さらに、第１の帯状部２および第２の帯状部３の上端部の強度を高めるのに有効となってもいる。
【００１８】
上縁面取り部５は、第１の帯状部２および第２の帯状部３の上端より幅木コーナーキャップ１の内側に位置する上面部４の端縁と第１の帯状部２および第２の帯状部３の上端とを接続している。上縁面取り部５は、第１の帯状部２および第２の帯状部３の上端から上面部４の接続側の端縁に向かって斜め上方に延びている。このような上縁面取り部５は、物などが接触するときの衝撃を緩和し、破損を抑制するとともに、接触する物などの損傷なども抑制する。また、上縁面取り部５は、角張った感じを軽減し、幅木コーナーキャップ１にまろやかな外観を付与し、さらに、幅木コーナーキャップ１の厚みを薄く感じさせるのに有効となってもいる。
【００１９】
また、幅木コーナーキャップ１では、第２の帯状部３が接続していない方の第１の帯状部２の側端部およびこれに対応する上縁面取り部５の側端部の表面が、第１の帯状部２の幅木への被着面側に向かって若干傾斜し、側縁面取り部６が形成されている。側縁面取り部６は、幅木コーナーキャップ１の側端面が極力視認されないように抑制するとともに、幅木表面と連続面が形成されているような印象を与え、幅木コーナーキャップ１を幅木と外観上調和させ、一体感のある外観を形成するのに有効となっている。
【００２０】
さらに、幅木コーナーキャップ１では、上下方向の中央より上側に、第１の帯状部２の幅木への被着面側にくぼむ凹部７が形成されている。凹部７は、幅木コーナーキャップ１に変化に富んだリズム感のある外観を与えるとともに、幅木コーナーキャップ１の厚みを薄く感じさせてもいる。
【００２１】
さらにまた、幅木コーナーキャップ１では、一方の第１の帯状部２の端縁と第２の帯状部３の端縁との接続部８において、第１の帯状部２の幅木への被着面から他方の第１の帯状部２の端縁と第２の帯状部３の端縁との接続部９までリブ１０が平面状に延設されている。リブ１０は、上面部４の直下から幅木コーナーキャップ１の下端までの高さを有し、また、幅ｗは、リブ１０が第１の帯状部２の幅木への被着面から接続部９まで延びていることから、第２の帯状部３の曲率半径ｒに略等しく、幅木の厚みに略等しい。リブ１０には、下端に第２の帯状部３の下端まで基部１１が配設されている。基部１１は、平面状であり、第２の帯状部３の平面形状に略等しい略1/4円形状とされている。基部１１によって、リブ１０は、下端において第２の帯状部３に連結されている。
【００２２】
このような図１および図２＜ａ＞＜ｂ＞＜ｃ＞＜ｄ＞に示した幅木コーナーキャップ１は、図３に示したように、建物内壁の出隅コーナー部に配設される。すなわち、建物内壁の出隅コーナー部において、一方の幅木１２が端面１３をリブ１０の先端面１４に当接させ、他方の幅木１２が端面１３をリブ１０の第１の帯状部２側の表面１５に当接させて幅木コーナーキャップ１により接続され、幅木コーナーキャップ１の第１の帯状部２は、被着面において粘着材、接着剤などを介して各々が対応する幅木１２の端部表面に被着し、固定される。施工方法としては、第１の帯状部２の被着面または幅木１２の端部表面に粘着材を粘着するまたは接着剤を塗布するなどして、一方の幅木１２の端面１３をリブ１０の先端面１４に当接させ、第１の帯状部２を一方の幅木１２の端部表面に被着し、固定した後、他方の幅木１２の端部を第１の帯状部２の被着面の内側に差し込み、挿入し、端面１３をリブ１０の表面１５に当接させ、第１の帯状部２を他方の幅木１２の端部表面に被着し、固定することが例示される。リブ１０の幅ｗは、上記の通り、幅木１２の厚みｔに略等しいので、他方の幅木１２の第１の帯状部２の被着面の内側への差し込み、挿入が可能であり、しかも容易に実現される。なお、上記施工方法において、幅木１２の順序は逆にすることができる。
【００２３】
左右一対の第１の帯状部２を相互に連結する、平面視略1/4円状の第２の帯状部３の曲率半径ｒは幅木１２の厚みｔと略同等とされ、リブ１０は、接続部８において、第１の帯状部２の幅木１２への被着面から他方の第１の帯状部２と平行に接続部９まで延設されているので、建物内壁の出隅コーナー部において２つの幅木１２は、図３に示したように、相互に干渉することはなく、端面を斜めにカットする必要はない。ラフな端面カットであっても２つの幅木１２は相互干渉しない。リブ１０は、幅木１２の施工に際しての位置決めとして十分に機能する。リブ１０がないと、一方の幅木１２を第１の帯状部２に対応させて留め置くことができたとしても、つまり、幅木１２の端部を接続部９を超えずに配置することができたとしても、他方の幅木１２が、接続部８を超えて第２の帯状部３まで達する長さのものとしてカットされると、他方の幅木１２の先端部が第２の帯状部３に接触することがあり、この場合、幅木コーナーキャップ１が一方の幅木１２から浮き上がってしまう。リブ１０によって幅木１２の位置決めが十分に行われ、そのような浮き上がりは発生しない。幅木コーナーキャップ１の各々の第１の帯状部２は対応する幅木１２の端部表面に確実に被着される。したがって、幅木コーナーキャップ１によって、幅木１２同士の接続の施工性が、特許文献１に記載された幅木接続部分カバー材による場合に比べ、さらに良好となる。
【００２４】
また、幅木コーナーキャップ１は、リブ１０の下端に第２の帯状部３の下端まで配設された基部１１によって補強され、所定の強度が確保される。リブ１０の配設数は１つであるが、基部１１は、リブ１０の下端と第２の帯状部３の下端とを接続するものであるので、第２の帯状部３の曲率半径ｒが幅木１２の厚みｔと略同等と比較的大きくなっているのにもかかわらず、基部１１によって幅木コーナーキャップ１は十分に補強される。したがって、幅木コーナーキャップ１は形状が簡単なものであり、樹脂などの各種材料からの成形品とされた場合、金型の形状が複雑化せず、作製コストが低減され、最終的な製品コストも低減される。安価な幅木コーナーキャップ１が実現される。
【００２５】
しかも、基部１１は平面状であるので、幅木コーナーキャップ１は、図１に示したように自立可能であり、施工現場において幅木コーナーキャップ１を起立させて置いておくことができる。必要以上に場所をとらず、第１の帯状部２の被着面を上側または下側に向けて置く場合に比べ、幅木コーナーキャップ１が破損、損傷などする虞が少ない。その上、基部１１により補強されているので、所定強度を保持しつつ、幅木コーナーキャップ１の厚さ、すなわち、第１の帯状部２、第２の帯状部３などの各部位を、図３に示したように、幅木１２の厚みｔに比べ十分に薄くすることができる。このように薄い幅木コーナーキャップ１は施工外観に違和感を与えないという利点がある。また、強度保持および違和感のない施工外観は、リブ１０に加え、上記の通り、上面部４、上縁面取り部５および側縁面取り部６も寄与し、さらに凹部７も担っている。
【００２６】
図４は、本発明における廻り縁コーナーキャップの一実施形態を示した斜視図である。図５＜ａ＞＜ｂ＞＜ｃ＞は、それぞれ、図４に示した廻り縁コーナーキャップのＡ方向矢視の正面図、Ｂ方向矢視の底面図、Ｃ方向矢視の平面図である。
【００２７】
図４および図５＜ａ＞＜ｂ＞＜ｃ＞に示した廻り縁コーナーキャップ１６は、図１および図２＜ａ＞＜ｂ＞＜ｃ＞＜ｄ＞に示した幅木コーナーキャップ１とほぼ同じ構成を有している。図３および図４＜ａ＞＜ｂ＞＜ｃ＞には、幅木コーナーキャップ１と同一の部分に同じ符号を付している。
【００２８】
廻り縁コーナーキャップ１６において幅木コーナーキャップ１と異なる点は、上面部４に替えて下面部１７が配設されていること、基部１１がリブ１０の上端に配設されていることおよび高さが低いことである。
【００２９】
このような廻り縁コーナーキャップ１６における相違は、廻り縁が天井との境界部分の建物内壁の上端部に配設されることによるものである。廻り縁コーナーキャップ１６は、幅木コーナーキャップ１とほぼ同じ構成を有しているので、その効果は上記と同じである。
【００３０】
なお、本発明の幅木または廻り縁のコーナーキャップは、その全体を樹脂などの一体成形品として作製可能であるとともに、第１の帯状部および第２の帯状部を個別に作製し、相互を接着、溶着などして組み立てて作製することも可能である。一体成形品とする場合には、第１の帯状部および第２の帯状部は連続的なものとなり、その境界である端縁は事実上存在しないことになる。この一体成形品における第１の帯状部および第２の帯状部の端縁とは、便宜的な部位の特定によるものであり、幅木または廻り縁のコーナーキャップをそのような第１の帯状部および第２の帯状部に仮想的に分割したときに想定されるものである。
【図面の簡単な説明】
【００３１】
【図１】本発明の幅木コーナーキャップの一実施形態を示した斜視図である。
【図２】＜ａ＞＜ｂ＞＜ｃ＞は、それぞれ、図１に示した幅木コーナーキャップのＡ方向矢視の正面図、Ｂ方向矢視の平面図、Ｃ方向矢視の底面図であり、＜ｄ＞は、図２＜ａ＞図中のＸ−Ｘ断面図である。
【図３】図１に示した幅木コーナーキャップが建物内壁の出隅コーナー部に配設された状態を示した断面図である。
【図４】本発明における廻り縁コーナーキャップの一実施形態を示した斜視図である。
【図５】＜ａ＞＜ｂ＞＜ｃ＞は、それぞれ、図４に示した廻り縁コーナーキャップのＡ方向矢視の正面図、Ｂ方向矢視の底面図、Ｃ方向矢視の平面図である。
【符号の説明】
【００３２】
１  幅木コーナーキャップ
２  第１の帯状部
３  第２の帯状部
８  接続部
９  接続部
１０  リブ
１１  基部
１２  幅木
１６  廻り縁コーナーキャップ
【図１】
0004979613.tif 000002
【図２】
0004979613.tif 000003
【図３】
0004979613.tif 000004
【図４】
0004979613.tif 000005
【図５】
0004979613.tif 000006